(57)【特許請求の範囲】
【請求項１】
落下阻止システム向けの、特にクライミング用途向けのセルフビレイ装置（１）であって、ロープ（１１）が取り付け可能であるロック装置（１０）と、使用者のセーフティハーネスに取り付けられるように用いられ、かつ前記使用者がクライミング用の壁（１３）、梯子または他の伸長した構造物を登ろうとするときに前記ロック装置（１０）が結合されるコネクタ要素（１２）とを含むセルフビレイ装置（１）において、
保持器要素（１４）が提供され、前記保持器要素（１４）は、前記コネクタ要素（１２）が前記ロック装置（１０）から取り外されるときに前記ロック装置（１０）を保持するように用いられ、
前記ロック装置（１０）は、
前記コネクタ要素（１２）が前記ロック装置（１０）に結合されるときに前記コネクタ要素（１２）を受容するための受容口（１５）を特徴とし、および前記ロック装置（１０）は、
前記ロック装置（１０）が前記保持器要素（１４）に取り付けられるときに前記保持器要素（１４）の少なくとも一部を保持するための保持器開口（１６）を特徴とし、
前記ロック装置（１０）は、固定手段（１７）を特徴とし、前記固定手段（１７）は、前記コネクタ要素（１２）を前記ロック装置（１０）に固定しかつそれから解放するために前記ロック装置（１０）内に移動可能に配置され、前記固定手段（１７）は、前記保持器要素（１４）と相互作用するように用いられ、
前記固定手段（１７）は、少なくとも１つの回転ディスク（２３、２４）を含み、
前記ロック装置（１０）が、前記保持器要素（１４）に配置されている状態において、前記回転ディスク（２３、２４）は自由に回転されることができて、
前記回転ディスク（２３、２４）が前記コネクタ要素（１２）によって保証された特定の角度で回転された場合にのみ、前記ロック装置（１０）が前記保持器要素（１４）から取り外しできて、
前記特定の角度における単一の挿入の動きにより、前記コネクタ要素（１２）が前記少なくとも１つの回転ディスク（２３、２４）を回転させている状態において、前記固定手段（１７）が前記ロック装置（１０）と前記保持器要素（１４）との間の相互接続を、自動的に解放するように構成されており、
前記少なくとも１つの回転ディスク（２３、２４）が単一の挿入の動きで自由に回転することができるように、前記保持器要素（１４）の少なくとも一部分が、前記ロック装置（１０）の保持器開口（１６）に挿入された場合、前記固定手段（１７）が、前記ロック装置（１０）と前記保持器要素（１２）との間の相互接続を自動的に解放するように、更に構成されている、セルフビレイ装置（１）。
【請求項２】
前記保持器要素（１４）は、鍵要素（１８）を特徴とし、前記ロック装置（１０）が前記保持器要素（１４）に取り付けられるとき、前記鍵要素（１８）は、前記固定手段（１７）と相互作用するために前記ロック装置（１０）の前記保持器開口（１６）内に延在することを特徴とする、請求項１に記載のセルフビレイ装置（１）。
【請求項３】
前記コネクタ要素（１２）は、少なくとも１つの異形部分（１９）を特徴とし、前記異形部分（１９）は、前記コネクタ要素（１２）が前記ロック装置（１０）に結合されるときにのみ、前記固定手段（１７）が前記ロック装置（１０）を前記保持器要素（１４）から解放するような方法で前記固定手段（１７）と相互作用することを特徴とする、請求項２に記載のセルフビレイ装置（１）。
【請求項４】
前記ロック装置（１０）は、少なくとも１つのロック用固定具（２０）を含み、前記ロック用固定具（２０）は、前記固定手段（１７）と相互作用するように、かつ前記ロック装置（１０）が前記保持器要素（１４）に取り付けられるときに前記保持器要素（１４）の前記鍵要素（１８）と相互作用するように形成されることを特徴とする、請求項２または３に記載のセルフビレイ装置（１）。
【請求項５】
前記ロック用固定具（２０）は、ヒンジ（２１）を介して前記ロック装置（１０）内に収容され、かつばね要素（２２）によって付勢されることを特徴とする、請求項４に記載のセルフビレイ装置（１）。
【請求項６】
前記回転ディスク（２３、２４）は、切欠き（２５）を特徴とし、前記ロック用固定具（２０）は、前記ロック装置（１０）が前記保持器要素（１４）から分離されるときに前記切欠き（２５）に挿入することを特徴とする、請求項４または５に記載のセルフビレイ装置（１）。
【請求項７】
前記鍵要素（１８）は、アンダーカット形状（２６）を特徴とし、それにより、前記鍵要素（１８）は、前記アンダーカット形状（２６）の前記ロック用固定具（２０）との相互作用により前記保持器開口（１６）内に留まることを特徴とする、請求項４〜６のいずれか一項に記載のセルフビレイ装置（１）。
【請求項８】
ロック装置（１０）を、落下阻止システム向けの、特にクライミング用途向けのセルフビレイ装置（１）のコネクタ要素（１２）に接続しかつそれから分離するための方法であって、ロープ（１１）は、クライミング中に使用者を固定するために前記ロック装置（１０）に取り付けられ、前記コネクタ要素（１２）は、前記使用者のセーフティハーネスに取り付けられ、
前記ロック装置（１０）は、
前記コネクタ要素（１２）が前記ロック装置（１０）に結合されるときに前記コネクタ要素（１２）を受容するための受容口（１５）を特徴とし、および前記ロック装置（１０）は、
前記ロック装置（１０）が前記セルフビレイ装置（１）の保持器要素（１４）に取り付けられるときに前記保持器要素（１４）の少なくとも一部を保持するための保持器開口（１６）を特徴とし、
前記ロック装置（１０）は、固定手段（１７）を特徴とし、前記固定手段（１７）は、前記コネクタ要素（１２）を前記ロック装置（１０）に固定しかつそれから解放するために前記ロック装置（１０）内に移動可能に配置され、前記固定手段（１７）は、前記保持器要素（１４）と相互作用するように用いられ、
前記固定手段（１７）は、少なくとも１つの回転ディスク（２３、２４）を含み、
前記ロック装置（１０）が、前記保持器要素（１４）に配置されている状態において、前記回転ディスク（２３、２４）は自由に回転されることができて、
前記回転ディスク（２３、２４）が前記コネクタ要素（１２）によって保証された特定の角度で回転された場合にのみ、前記ロック装置（１０）が前記保持器要素（１４）から取り外しできて、
前記特定の角度における単一の挿入の動きにより、前記コネクタ要素（１２）が前記少なくとも１つの回転ディスク（２３、２４）を回転させている状態において、前記固定手段（１７）が前記ロック装置（１０）と前記保持器要素（１４）との間の相互接続を、自動的に解放するように構成されており、
前記少なくとも１つの回転ディスク（２３、２４）が単一の挿入の動きで自由に回転することができるように、前記保持器要素（１４）の少なくとも一部分が、前記ロック装置（１０）の保持器開口（１６）に挿入された場合、前記固定手段（１７）が、前記ロック装置（１０）と前記保持器要素（１２）との間の相互接続を自動的に解放するように、更に構成されており、
前記方法は、少なくとも以下のステップ：
−  前記コネクタ要素（１２）が前記ロック装置（１０）から分離されるときに前記ロック装置（１０）を保持する保持器要素（１４）を提供するステップと、
−  前記コネクタ要素（１２）を前記ロック装置（１０）に結合するステップと、
−  前記コネクタ要素（１２）を前記ロック装置（１０）に結合することにより前記ロック装置（１０）を前記保持器要素（１４）から自動的に解放するステップと
を含む、方法。
【発明の詳細な説明】
【技術分野】
【０００１】
本発明は、落下阻止システム向けの、特にクライミング用途向けのセルフビレイ装置（ｓｅｌｆ  ｂｅｌａｙ  ａｒｒａｎｇｅｍｅｎｔ）に関し、このセルフビレイ装置は、ロープが取り付け可能であるロック装置と、使用者のセーフティハーネスに取り付けられるように用いられ、かつ使用者がクライミング用の壁、梯子または他の伸長した構造物を登ろうとするときにロック装置が結合されるコネクタ要素とを含む。
【背景技術】
【０００２】
米国特許第６，０８３，１４２Ａ１号明細書は、クライミング用の装置をクライミング用の壁と共に開示しており、使用者は、壁から落下することを防止するために、ロープによって安全を確保される。ロープは、ガイドプーリを介して案内され、プーリは壁の頂部に取り付けられ、壁の構造は、ロープを常に引っ張るための自動ビレイデバイスを含む。使用者が壁から手を離すと、自動ビレイデバイスは使用者の安全を確保し、制御された下降速度で使用者を地面まで降ろす。自動ビレイデバイスにより、ロープは、ロープを（通常は）垂直の方向に緊張させるために、最小限の力で常に予応力を与えられる。使用者がクライミング用の壁の前で地面に立ち、ロープが取り付けられているロック装置を解放すると、ロープおよびロック装置は自動ビレイデバイスによって生成されるベース力によって壁の頂部のプーリまで移動する。したがって、ロック装置を再び引き下げなければならず、このケースは有利に回避されなければならない。
【０００３】
通常、使用者は、ロック装置を使用者のセーフティハーネスに固定されたコネクタ要素に接続する。接続および分離は、広く知られている方法で手によって行われ、不運なケースでは、使用者はロープをロック装置と一緒に解放する。ロック装置がクライミング用の壁の底部領域の固定要素に固定されていたとしても、このケースは完全に回避できず、使用者は自動ビレイデバイスによって予応力を与えられたロック装置を解放し、したがってロープは制御されない方法で上に移動する。
【０００４】
さらに、標準的な自動ビレイ装置は、使用者のセーフティハーネスの一部としてのコネクタ要素から、任意の時点で、特に意図せずに、例えば高所で切り離される可能性のあるロック装置を含み、これは危険であり、使用者はこの状況を回避するべきである。
【０００５】
さらに、標準的な自動ビレイ装置は、使用者のセーフティハーネスの一部としての正しいコネクタ要素の代わりに衣類の誤った付属ループまたは付属品に意図せずに接続される可能性があり、これは危険であり、使用者はこの状況を回避するべきである。
【発明の概要】
【発明が解決しようとする課題】
【０００６】
従って、本発明は、上述の欠点を排除する目的を有する。特に、誤った要素との接続またはロック装置およびロープの解放をそれぞれ回避するセルフビレイ装置を提供することが本発明の目的である。
【課題を解決するための手段】
【０００７】
この目的は、請求項１によって教示されかつ請求項１０に従う方法によって教示されるセルフビレイ装置によって達成される。本発明の好ましい実施形態は、従属請求項によって定義される。
【０００８】
本発明は、保持器要素に関し、保持器要素は、コネクタ要素がロック装置から取り外されるときにロック装置を保持するように用いられ、保持器要素は、ロック装置を保持器要素から分離するためにコネクタ要素がロック装置に結合されなければならない方法でロック装置と相互作用する。
【０００９】
本発明のセルフビレイ装置の中核となる考え方は、ロープが取り付けられるロック装置が使用中に常に受け取られる状況である。ロック装置は、使用されないときには保持器要素に接続され、またはロック装置は、使用中にコネクタ要素に取り付けられ、コネクタ要素は使用者のセーフティハーネスに取り付けられるように用いられる。その結果、ハーネスの誤った要素または衣類に接続する状況、またはロック装置を解放して自動ビレイデバイスによってクライミング用の壁の頂部まで引き上げられる状況は回避される。この状況は、最初にコネクタ要素をロック装置に結合しなければならず、コネクタ要素をロック装置に結合して初めてロック装置を保持器要素から切り離すことができるために回避される。同様に、ロック装置は、ロック装置を保持器要素に取り付けた後にのみ、コネクタ要素から取り外すことができる。
【００１０】
本発明によるセルフビレイ装置の別の利点は、使用者が高所にいるときにロック装置をコネクタ要素から切り離すことができないことによる使用者の進化した安全性である。特に、使用者は、意図せずにセーフティハーネスからロープを分離することができず、特に、使用者は、保持器要素が使用できる範囲にない場合、セーフティハーネスからロープを分離することができない。その結果、本発明の保持器要素の提供により、落下阻止システムの安全性が高められる。さらに、ロック装置は、ロック装置とコネクタ要素との間の接続が正しく行われるときにのみ、保持器要素から分離することができる。したがって、使用者は、ロープと自らのセーフティハーネスとの間の誤った接続によって（底部において）保持器要素から解放されることはなく、壁等を登ることができない。
【００１１】
原則的に、セルフビレイ装置は落下阻止装置に永久的に接続され、これは、保持器要素またはコネクタ要素によって実行される。保持器要素は、例えばクライミング用の壁の底部領域に、詳細には使用者のセーフティハーネスに取り付けられたコネクタ要素の高さに対応する地面より上の高さに配置された保持バーによって形成された、いずれかの種類のアクセス遮断固定具に永久的に接続される。別の要求に従って、コネクタ要素は、直接または柔軟性の部材により、使用者のセーフティハーネスに永久的に取り付けられなければならない。
【００１２】
その好ましい実施形態において、ロック装置は、コネクタ要素がロック装置に結合されるときにコネクタ要素を受容するための受容口を特徴とし、およびロック装置は、ロック装置が保持器要素に取り付けられるときに保持器要素の少なくとも一部を保持するための保持器開口を特徴とする。
【００１３】
受容口は、コネクタ要素を受容するためのロック装置の第１開口を形成し、保持器開口は、一種の鍵であって、ロック装置が保持器要素に取り付けられるときにロック装置からコネクタ要素を解放する鍵を形成する保持器要素の少なくとも一部の受容手段と、第３の開口とを特徴とし、および完全性の意味で、ロック装置は、ロープをロック装置に取り付ける開口を特徴とすることができる。
【００１４】
セルフビレイ装置のさらに別の改善によれば、ロック装置は、固定手段を特徴とし、固定手段は、コネクタ要素をロック装置に固定するかまたはそれから解放するためにロック装置内に移動可能に配置され、固定手段は保持器要素と相互作用するように用いられる。特に、保持器要素は鍵要素を特徴とし、ロック装置が保持器要素に取り付けられるとき、鍵要素は固定手段と相互作用するためにロック装置の保持器開口内に延在する。固定手段は、鍵要素を保持器開口内に延在させることにより、または鍵要素を保持器開口から引き抜くことにより、鍵要素によってブロックまたは解放することができる。同様に、固定手段は、鍵要素が保持器開口内に延在するか、または鍵要素が保持器開口から引き抜かれるかに依存して、コネクタ要素を固定および解放する。
【００１５】
本発明において具現化されるさらに別の改善は、少なくとも１つの異形部分を特徴とするコネクタ要素であり、異形部分は、コネクタ要素がロック装置に接続されるときに固定手段と相互作用する。相互作用は、コネクタ要素がロック装置に結合されるときにのみ、固定手段が保持器要素からロック装置を解放するような方法で実行される。
【００１６】
本発明のさらに別の実施形態によれば、ロック装置は少なくとも１つのロック用固定具を含み、ロック用固定具は固定手段と相互作用するように、かつロック装置が保持器要素に取り付けられるときに保持器要素の鍵要素と相互作用するように形成される。特に、ロック装置は２つのロック用固定具を含み、各ロック用固定具は、鍵要素と相互作用するための第１部分を特徴とし得、かつ固定手段と相互作用するための第２部分を特徴とし得る。
【００１７】
別の利点によれば、ロック用固定具はヒンジを介してロック装置内に収容され、かつばね要素によって付勢される。ばね要素は、ロック用固定具を固定手段と係合した状態に付勢し、鍵要素は、保持器要素の鍵要素が保持器開口に挿入されるときにのみ、ロック用固定具を固定手段との係合状態から、ばね要素の付勢力に対抗する解放状態に移動させる。
【００１８】
固定手段の有利な設計によれば、固定手段は少なくとも１つの、特に２つの、または好ましくは３つの回転ディスクを含み、回転ディスクは、ロック装置が保持器要素から分離されるときにロック用固定具が挿入する切欠きを特徴とする。ロック装置内での少なくとも１つの回転ディスクの移動可能性は回転運動に関係し、これはロック用固定具を切欠きに係合させることによってブロックされ、切欠きは、例えば、少なくとも１つの回転ディスクの外周に配置される。
【００１９】
本発明で具現化されるさらに別の改善は鍵要素であり、それはアンダーカット形状を特徴とし、それにより、鍵要素は、アンダーカット形状とロック用固定具との相互作用により保持器要素内に留まる。これは、コネクタ要素がロック要素に結合されかつそれを解放するまで、ロック装置が保持器要素から分離されないという利点をもたらす。コネクタ要素がロック装置に取り付けられることによる鍵要素の解放は、コネクタ要素の異形部分に基づき、これは鍵として機能し、少なくとも１つの回転ディスクはラッチ要素として機能する。ロック用固定具と相互作用される鍵要素の解放は、予め決定された回転位置または少なくとも１つの回転ディスクに基づく。コネクタ要素がロック装置の受容口に挿入されるときにのみ、回転ディスクは解放位置に回転し、鍵要素はロック用固定具によって解放され、なぜなら、ロック用固定具の一部が回転ディスクの切欠きと係合することが許容されるからである。この係合のため、回転ディスクは予め決定された回転位置、すなわち、その時点で切欠きがロック用固定具の係合部分と整列される回転位置を必要とする。
【００２０】
本発明はまた、落下阻止システム向けの、特にクライミング用途向けのセルフビレイ装置装置のコネクタ要素にロック装置を接続しかつそれからロック装置を分離させるための方法に関し、ロープは、クライミング中に使用者を固定するためにロック装置に取り付けられ、コネクタ要素は、使用者のセーフティハーネスに取り付けられ、方法は、少なくとも以下のステップ：コネクタ要素がロック装置から分離されるときにロック装置を保持する保持器要素を提供するステップと、コネクタ要素をロック装置に結合するステップと、コネクタ要素をロック装置に結合することによりロック装置を保持器要素から自動的に解放するステップとを含む。セルフビレイ装置と併せて記載されるさらなる特徴および特化した利点も、上に記載したような本発明の方法に適用可能である。
【００２１】
本発明の改善によれば、コネクタ要素は、ロック装置に取り付けられると、ロック装置と保持器要素との間の相互作用の解放を引き起こす。別の利点によれば、保持器要素は、ロック装置が保持器要素に取り付けられると、ロック装置とコネクタ要素との間の相互作用の解放を引き起こす。
【００２２】
上述の構成要素ならびに特許請求される構成要素および記載された実施形態において、本発明に従って使用される構成要素は、それらのサイズ、形状、材料選択および技術的概念に関して特別な例外の対象にならないため、関連する分野で知られる選択基準を限定なく適用することができる。
【００２３】
本発明の主題の追加の詳細、特徴および利点は、従属請求項および各図面の以下の記載において開示され、それらは、添付の図面と併せて本発明による主題の好ましい実施形態を例示的な態様で示す。
【図面の簡単な説明】
【００２４】
【図１】クライミング用の壁の全体図を示し、セルフビレイ装置がクライミング用の壁の前にある。
【図２】図１に示す円で囲まれた細部に従うセルフビレイ装置の詳細図を示す。
【図３】セルフビレイ装置の主要構成要素の詳細図を示す。
【図４】ロック装置の詳細図を示す。
【図５】コネクタ要素の詳細図を示す。
【図６】保持器要素の詳細図を示す。
【発明を実施するための形態】
【００２５】
図１は、クライミング用の壁１３の全体図を示し、ロープ１１を保持するためのセルフビレイ装置１は待機位置にある。セルフビレイ装置１は、使用者のコネクタ要素に接続するためのロープ１１を提供するが、ロープ１１は、クライミング用の壁１３の裏側にある自動ビレイデバイス２８により、ベース力によって予め応力が加えられる。ロープ１１は、詳細図として後続する図２と併せて記載されるように、使用者がコネクタ要素をセルフビレイ装置１に接続するまで、保持バー２７に確実にロックされたままである。
【００２６】
図２は、ロープ１１の保持バー２７への接続装置としてのセルフビレイ装置１の詳細図を示す。ロック装置１０がロープ１１に取り付けられており、またロック装置１０は保持器要素１４にも取り付けられ、それは追加の保持器要素によって保持バー２７に接続される。さらに、コネクタ要素１２が示され、これはロック装置１０の受容口１５に挿入される。コネクタ要素１２が受容口１５に完全に挿入されると、ロック装置１０は保持器要素１４から取り外され、コネクタ要素１２と確実に連結したロック装置１０は、この態様から取り外されるように解放される。
【００２７】
図２に示されるような状況から取り外されると、ロック装置１０およびコネクタ要素１２は、ロック装置が保持器要素１４に確実に挿入し戻されるまで分離できず、従って、ロック装置１０が保持器要素から取り外される間、落下阻止装置と使用者のハーネス（不図示）との間に確実な接続を形成する。
【００２８】
換言すると、コネクタ要素１２は、コネクタ要素１２がロック装置に取り付けられると、ロック装置１０と保持器要素１４との間の相互接続を解放する鍵として機能する。同じように、保持器要素１４は、ロック装置１０が保持器要素１４に取り付けられると、ロック装置１０とコネクタ要素１２との間の相互接続を解放する鍵として機能する。
【００２９】
結果として、使用者は、アクセスを遮断することにより、またはクライミング用の壁１３との構造において自動ビレイデバイス２８によって与えられる落下阻止装置にそれらを安全に接続することにより、常に安全を確保される。
【００３０】
ロック装置１０は、コネクタ要素１２を受容するための受容口１５の隣の保持器開口１６を特徴とし、保持器開口１６は、以下に図３と併せて記載するように、保持器要素１４の少なくとも一部を受容するように用いられる。
【００３１】
図３は、コネクタ要素１２と保持器要素１４との間のロック装置１０の俯瞰図を示す。ロック装置１０は、固定手段１７が配置される受容口１５を特徴とし、さらにロック装置１０は、保持器要素１４の一部である鍵要素１８を受容するための保持器開口１６を特徴とする。
【００３２】
コネクタ要素１２は異形部分１９を特徴とし、コネクタ要素１２が受容口１５に挿入されると、異形部分１９は固定手段１７と相互作用する。異形部分１９と固定手段１７との相互作用は、保持器開口１６内の鍵要素１８のブロックまたは解放をもたらし、異形部分１９が固定手段１７と相互作用するときにのみ、鍵要素１８をロック装置１０の保持器開口１６から引き出すことができる。
【００３３】
図４は、壁、梯子または他の伸長した構造物を登るために使用することができ、ロープに固定することができるロック装置１０の実施形態を示す。ロック装置１０は多数のプレート３０を含み、多数のベースプレート３０は、装置１０の全体を収容する２つの外側プレート３０間に配置される。固定手段１７は、回転ディスク２３と、２つの外側回転ディスク２３間に配置される第３回転ディスク２４とによって形成される。ディスク２３および２４は、ブロック装置１０が保持器要素１４に配置されていないとき、コネクタ要素１２の離脱を防止する。ロック用固定具２０の組およびその各ばね要素２２は、ロック装置１０が保持器要素１４から離脱されるとき、ディスク２３および２４の位置をロックするために使用される。ロック装置１０が保持器要素１４に挿入されると、ロック用固定具２０が鍵要素１８によって起動される。前記ロック用固定具２０は、開放位置にあるとき、ロック装置１０が保持器要素１４から取り外されることを防止する。ロック装置１０の保持器要素１４からの取外しを防止するためにロック用固定具２０は１つのみで十分であるが、実施形態が示すように、さらなる安全のために第２のロック用固定具が追加される。保持器開口１６を形成するプレート３０の開口部（図３参照）は、特殊な工具を使用することも装置１０を保持器要素１４に挿入することもなく使用者の手によって保持器開口１６を操作することができないように、小さい溝の形状で形成される。
【００３４】
ロック装置１０が保持器要素１４に配置されるとき、回転ディスク２３および２４は手または他の器具によって自由に回転させることができるが、回転ディスク２３および２４が、コネクタ要素１２に配置された異形部分１９の形状特徴部によって保証された特定の角度で回転される場合にのみ、ロック装置１０を保持器要素１４から取り外すことができる。したがって、３つのディスク２３および２４は、一種の暗号ロックを形成する。
【００３５】
ロック装置１０が保持器要素１４に配置されるとき、位置決めピン３１および専用ばねがディスク２３および２４をロック解除位置に配置し、コネクタ要素１２のより簡単な挿入を促すために使用される。
【００３６】
図５は、ロック装置１０と共に使用するためのコネクタ要素１２の実施形態を示す。このコネクタ要素１２は、ＥＮ３６２および／もしくはＥＮ１２２７５または対応する個人保護装置の基準に従って設計および製造された標準の容易に入手可能なクイックリンクカラビナ３４からなる。２つのジョー３２が、取り外し可能または取り外し不能のいずれかのねじ要素３３または他の永久的な接続手段により、そのカラビナ３４に永久的に取り付けられる。異形部分１９の外側形状は、ロック装置１０の受容口１５に完全に挿入されると、２つのロック用固定具２０が回転ディスク２３および２４を閉鎖位置にロックすることができるように回転ディスク２３および２４を配置し、ロック装置１０を保持器要素１４から解放する手段により、ロック装置１０の回転ディスク２３および２４と適合できるようなものである。したがって、コネクタ要素１２の異形部分１９と回転ディスク２３および２４との間の相互接続は、キーロック原理に従って機能する。
【００３７】
最後に、図６は、ベースプレート３６と、放出プレート３５と、放出プレート３５を予応力方向に付勢する専用ばね要素３７とを含む保持器要素１４の部品の詳細な俯瞰図を示す。さらに、保持器要素１４は、シャッフルピン３８と、アンダーカット形状２６を特徴とする鍵要素１８とを含む。
【００３８】
放出プレート３５は、ばね要素３７と連動して使用され、コネクタ要素１２がロック装置１０の受容口１５に完全に挿入されるとロック装置１０を放出する。シャッフルピン３８は、ロック装置１０が保持器要素１４に完全に挿入され、その結果、前記保持器要素１４内に確実に押圧されるとき、回転ディスク２３および２４をシャッフルするように用いられる。鍵要素１８は、以下の２つの機能を付与するアンダーカット形状２６として記載される特別な形状を有する。２つの機能とは、一方の面から、ロック装置１０が保持器要素１４に挿入されるとロック用固定具２０をロック解除する機能、および別の面から、２つのロック用固定具２０が回転ディスク２３および２４（図４参照）の専用ノッチ２５に完全に挿入される（これは、コネクタ要素１２がロック装置１０に完全に挿入されないと起こらない）ことがない限り、それらの２つのロック用固定具２０の妨害によってロック装置１０が保持器要素１４から取り外されることを防止する機能である。
【００３９】
本発明は、上記の実施形態によって限定されない。上記の実施形態は単に例として示され、付随する特許請求の範囲によって定められる保護範囲内で様々な方法で修正することができる。
【符号の説明】
【００４０】
１  セルフビレイ装置
１０  ロック装置
１１  ロープ
１２  コネクタ要素
１３  クライミング用の壁
１４  保持器要素
１５  受容口
１６  保持器開口
１７  固定手段
１８  鍵要素
１９  異形部分
２０  ロック用固定具
２１  ヒンジ
２２  ばね要素
２３  回転ディスク
２４  回転ディスク
２５  切欠き
２６  アンダーカット形状
２７  保持バー
２８  自動ビレイデバイス
２９  接続穴
３０  プレート
３１  位置決めピン
３２  ジョー
３３  ねじ要素
３４  カラビナ
３５  放出プレート
３６  ベースプレート
３７  ばね要素
３８  シャッフルピン
【図１】
0006764934.tif 000002
【図２】
0006764934.tif 000003
【図３】
0006764934.tif 000004
【図４】
0006764934.tif 000005
【図５】
0006764934.tif 000006
【図６】
0006764934.tif 000007